(57)【要約】【課題】電源がオンされてから録画開始までのレコーダの起動時間を短縮する。併せて、映像、音声の途切れを抑えて番組を録画する。【解決手段】  本発明によるデータ処理装置は、映像および／または音声のデータを記録媒体に書き込むことが可能である。データ処理装置は、電源のオンまたはオフを制御する電源制御部と、データを生成する信号処理回路と、生成されたデータを記録媒体に書き込むドライブ部とを備えている。電源制御部は、電源オフの指示を受けてドライブ部への電力の供給を停止し、かつ、信号処理回路および自身への電力の供給は継続する。ハードウェア要素は通電されているため、装置の電源がオンされても初期化動作は不要である。これに伴って、ソフトウェア要素も動作可能な状態にあるため初期化処理は不要である。よって、その後すぐに信号処理回路は処理を開始できる。【選択図】図１
2006209941.tif 000002
【特許請求の範囲】
【請求項１】
電源のオンまたはオフを制御する電源制御部と、
映像および／または音声のデータを生成する信号処理回路と、
生成された前記データを前記記録媒体に書き込むドライブ部と
を備えたデータ処理装置であって、前記電源制御部は、電源オフの指示を受けて前記ドライブ部への電力の供給を停止し、かつ、前記信号処理回路および自身への電力の供給は継続する、データ処理装置。
【請求項２】
前記データ処理装置は前記映像および／または音声の信号を受信する受信部をさらに備え、
前記信号処理回路は、受信された前記信号に基づいて前記データを生成し、
前記電源制御部は、電源オフの指示を受けて前記受信部への電力の供給を停止する、請求項１に記載のデータ処理装置。
【請求項３】
前記データ処理装置はデータ格納部をさらに備えており、
前記電源制御部が前記ドライブ部への電力の供給を停止する前に、前記信号処理回路は、前記記録媒体の種類の判定、前記記録媒体への書き込みの可否の判定、前記記録媒体の残り容量の判定および前記ドライブ部がデータの書き込み動作を行うために必要な制御パラメータの取得の少なくとも１つを実行し、得られた結果を示す情報を前記データ格納部に書き込む、請求項１に記載のデータ処理装置。
【請求項４】
前記電源制御部は、電源オフの指示を受けたときにおいて前記データ格納部への電力の供給を継続する、請求項３に記載のデータ処理装置。
【請求項５】
前記信号処理回路は、
データ処理装置の全体の動作を制御するシステム制御部と、
前記映像および／または音声に関する信号を受け取るインターフェースと、
受け取った前記信号に基づいて前記データを生成する記録処理部と、
生成された前記データを前記ドライブ部に出力し、書き込みを指示する記録制御部と、
を備え、前記電源制御部は前記電源オフの指示を受けたときにおいて少なくとも前記システム制御部への電力の供給を継続する、請求項１に記載のデータ処理装置。
【請求項６】
前記電源制御部は、ユーザからの指示に基づいて、前記信号処理回路への電力の供給を継続するか否かを選択する、請求項１に記載のデータ処理装置。
【請求項７】
電源のオンまたはオフを制御する電源制御部と、
映像および／または音声のデータを生成する信号処理回路と、
生成された前記データを前記記録媒体に書き込むドライブ部と
を備えたデータ処理装置であって、前記電源制御部が前記ドライブ部への電力の供給を停止し、かつ、前記信号処理回路および自身への電力の供給を継続している電源オフの状態において、
電源オンの指示を受けて、前記電源制御部は前記ドライブ部へ電力を供給し、かつ、前記信号処理回路は前記データの生成を開始する、データ処理装置。
【請求項８】
前記信号処理回路は、
データ処理装置の全体の動作を制御するシステム制御部と、
前記映像および／または音声に関する信号を受け取るインターフェースと、
受け取った前記信号に基づいて前記データを生成する記録処理部と、
生成された前記データを前記ドライブ部に出力し、書き込みを指示する記録制御部と、
前記データを一時的に蓄積するバッファメモリと
をさらに備え、
前記記録制御部は、前記電源オンの指示に基づいて生成された前記データを前記バッファメモリに蓄積する、請求項７に記載のデータ処理装置。
【請求項９】
前記システム制御部は、データの書き込みが可能な記録媒体が存在しているか否かを判断し、かつ、書き込み処理が可能な状態にまで前記ドライブ部が起動しているか否かを確認し、
データの書き込みが可能な記録媒体が存在し、前記ドライブ部が起動しており、かつ前記バッファメモリに蓄積されたデータが所定の基準データ量に達したときにおいて、前記システム制御部は前記記録制御部に指示を出力し、前記指示に基づいて、前記記録制御部は前記ドライブ部に対し、蓄積された前記データを出力するとともに前記データの書き込みを指示する、請求項７に記載のデータ処理装置。
【請求項１０】
前記データ処理装置はデータ格納部をさらに備えており、
前記データ格納部は、前記記録媒体にデータを書き込むことが可能か否かの判定結果を示す情報を格納しており、
前記判定結果が書き込み可能であることを示しているとき、前記システム制御部は前記記録制御部に前記指示を出力する、請求項９に記載のデータ処理装置。
【請求項１１】
前記判定結果は前記電力の供給が停止されるまでに取得され、前記データ格納部に格納されている、請求項１０に記載のデータ処理装置。
【請求項１２】
前記データ処理装置は表示装置に対して前記判定結果を表示してユーザへの通知を行うことが可能であり、
少なくとも、前記判定結果が書き込み不可能であることを示しているとき、前記表示装置を介して前記判定結果を表示する、請求項１０に記載のデータ処理装置。
【請求項１３】
前記判定結果は前記電力の供給が停止されるまでに取得され、前記データ格納部に格納されている、請求項１２に記載のデータ処理装置。
【請求項１４】
電源のオンまたはオフを制御する電源制御部と、
映像および／または音声のデータを生成する信号処理回路と、
生成された前記データを前記記録媒体に書き込むドライブ部と
を備えたデータ処理装置であって、
電源オフの指示を受けたときにおいて、前記電源制御部は、前記信号処理回路、前記ドライブ部および自身への電力の供給を継続し、
前記信号処理回路は、前記指示に応答して前記ドライブ部をスリープ状態に移行させる、データ処理装置。
【発明の詳細な説明】
【技術分野】
【０００１】
本発明は、放送波を受信して番組を録画する機器の動作に関する。より具体的には、本発明は電源が投入されてから録画が開始されるまで、および、電源の切断時における録画機器の動作に関する。
【背景技術】
【０００２】
従来から、放送番組を磁気テープ、ＤＶＤ、ハードディスク等の記録媒体に録画する録画機器（レコーダ）が普及している。このような録画機器を利用すると、ユーザは視聴中の番組を録画するのみならず、予約録画機能を利用して設定された時刻に設定されたチャンネルの番組を録画することができる。
【０００３】
図５は、従来のレコーダ１００の機能ブロックの構成を示す。いまレコーダ１００の電源が入っていない状態で、ユーザがテレビ（図示せず）で視聴している番組を録画する状況を考える。ユーザがレコーダ１００の電源をオンすると、状態表示部１４０に起動したことを知らせるメッセージを表示するとともに、レコーダ１００は所定の順序で内部の各構成要素に電力を供給し、各々を初期化する。
【０００４】
図６は、レコーダ１００において初期化が行われる手順の例を示す。ユーザがレコーダ１００本体の電源ボタン（図示せず）を押下すると、電源制御部１３０から信号処理回路１１０に電力が供給され、信号処理回路１１０内部の構成要素が順次起動される。すなわち、まずシステム制御部１１１が初期化され、プログラム実行可能な状態に遷移する。システム制御部１１１はデータ格納部１２０のＲＯＭ１２０ｂからプログラムを読み出し、ＲＡＭ１２０ａに展開する。
【０００５】
システム制御部１１１はそのプログラムに基づいてオペレーションシステム（ＯＳ）を初期化する。これらの処理と並行してドライブ部１５０にも電力が供給され、ＤＶＤ５１に対してデータの読み出し／書き込みができる状態になるよう起動処理が開始される。
【０００６】
ＯＳ初期化後は、信号処理回路１１０ｃの各構成要素が初期化される。その順序は、再生処理部１１６、チューナ１６０およびその内部の入力信号処理部（例えばＡ／Ｄ変換部）１６１、デジタル入出力インターフェース１１２、記録処理部１１３および記録処理部１１４である。記録制御部１１４の起動が完了すると、その後ドライブ部１５０の起動が完了したか否かが確認される。ここまではハードウェアの初期化処理である。その後はソフトウェアの初期化、例えばファイルシステムおよびアプリケーションソフトウェアの初期化が行われる。
【０００７】
ハードウェアおよびソフトウェアの初期化処理が終了すると番組のデジタル信号がインターフェース１１２に入力され、記録処理部１１３によって圧縮符号化される。得られたデータ（例えば番組データ）は記録制御部１１４によってバッファメモリ１１５に蓄積（バッファリング）され、所定のデータ量に達するとドライブ部１５０がＤＶＤ５１に書き込む。そのため、番組データがバッファメモリ１１５に蓄積され始めた時点から録画が開始されているといえる。上述の技術に関しては、例えば特許文献１を参照されたい。
【０００８】
なお上述の処理は予約録画時においても概ね同じである。電源オンがユーザによってではなくタイマーマイコン（図示せず）を内蔵した電源制御部１３０によって行われる点が異なるのみである。
【特許文献１】特開２００４−１４７２００号公報
【発明の開示】
【発明が解決しようとする課題】
【０００９】
従来のレコーダでは、電源オン後に種々の初期化処理を行わなければならず、録画が開始されるまでの時間（起動時間）が長いという問題があった。例えば現在市販されているＤＶＤレコーダの中には、起動時間に３０秒程度を要するものがある。起動時間の経過前には番組を録画することができないため、そのようなレコーダではユーザが録画したいと思った場面から録画することができない。
【００１０】
なお録画開始時刻よりも早い時刻にレコーダの電源をオンし、録画開始時刻において起動が完了しているようにレコーダを動作させれば、番組を途切れなく録画することはできる。しかし、これは録画開始時刻が予めわかっている場合（例えば予約録画時）においてのみ有効であり、任意の録画時に適用できない。
【００１１】
本発明の目的は、電源がオンされてから録画開始までのレコーダの起動時間を短縮することであり、併せて、映像、音声の途切れを抑えて番組を録画することである。
【課題を解決するための手段】
【００１２】
本発明によるデータ処理装置は、電源のオンまたはオフを制御する電源制御部と、映像および／または音声のデータを生成する信号処理回路と、生成された前記データを前記記録媒体に書き込むドライブ部とを備えている。前記電源制御部は、電源オフの指示を受けて前記ドライブ部への電力の供給を停止し、かつ、前記信号処理回路および自身への電力の供給は継続する。
【００１３】
前記データ処理装置は前記映像および／または音声の信号を受信する受信部をさらに備え、前記信号処理回路は、受信された前記信号に基づいて前記データを生成し、前記電源制御部は、電源オフの指示を受けて前記受信部への電力の供給を停止してもよい。
【００１４】
前記データ処理装置はデータ格納部をさらに備えており、前記電源制御部が前記ドライブ部への電力の供給を停止する前に、前記信号処理回路は、前記記録媒体の種類の判定、前記記録媒体への書き込みの可否の判定、前記記録媒体の残り容量の判定および前記ドライブ部がデータの書き込み動作を行うために必要な制御パラメータの取得の少なくとも１つを実行し、得られた結果を示す情報を前記データ格納部に書き込んでもよい。
【００１５】
前記電源制御部は、電源オフの指示を受けたときにおいて前記データ格納部への電力の供給を継続してもよい。
【００１６】
前記信号処理回路は、データ処理装置の全体の動作を制御するシステム制御部と、前記映像および／または音声に関する信号を受け取るインターフェースと、受け取った前記信号に基づいて前記データを生成する記録処理部と、生成された前記データを前記ドライブ部に出力し、書き込みを指示する記録制御部とを備えていてもよい。前記電源制御部は前記電源オフの指示を受けたときにおいて少なくとも前記システム制御部への電力の供給を継続してもよい。
【００１７】
前記電源制御部は、ユーザからの指示に基づいて、前記信号処理回路への電力の供給を継続するか否かを選択してもよい。
【００１８】
本発明によるデータ処理装置は、電源のオンまたはオフを制御する電源制御部と、映像および／または音声のデータを生成する信号処理回路と、生成された前記データを前記記録媒体に書き込むドライブ部とを備えている。前記電源制御部が前記ドライブ部への電力の供給を停止し、かつ、前記信号処理回路および自身への電力の供給を継続している電源オフの状態において、電源オンの指示を受けて、前記電源制御部は前記ドライブ部へ電力を供給し、かつ、前記信号処理回路は前記データの生成を開始する。
【００１９】
前記信号処理回路は、データ処理装置の全体の動作を制御するシステム制御部と、前記映像および／または音声に関する信号を受け取るインターフェースと、受け取った前記信号に基づいて前記データを生成する記録処理部と、生成された前記データを前記ドライブ部に出力し、書き込みを指示する記録制御部と、前記データを一時的に蓄積するバッファメモリとをさらに備え、前記記録制御部は、前記電源オンの指示に基づいて生成された前記データを前記バッファメモリに蓄積してもよい。
【００２０】
前記システム制御部は、データの書き込みが可能な記録媒体が存在しているか否かを判断し、かつ、書き込み処理が可能な状態にまで前記ドライブ部が起動しているか否かを確認し、データの書き込みが可能な記録媒体が存在し、前記ドライブ部が起動しており、かつ前記バッファメモリに蓄積されたデータが所定の基準データ量に達したときにおいて、前記システム制御部は前記記録制御部に指示を出力し、前記指示に基づいて、前記記録制御部は前記ドライブ部に対し、蓄積された前記データを出力するとともに前記データの書き込みを指示してもよい。
【００２１】
前記データ処理装置はデータ格納部をさらに備えており、前記データ格納部は、前記記録媒体にデータを書き込むことが可能か否かの判定結果を示す情報を格納しており、前記判定結果が書き込み可能であることを示しているとき、前記システム制御部は前記記録制御部に前記指示を出力してもよい。
【００２２】
前記判定結果は前記電力の供給が停止されるまでに取得され、前記データ格納部に格納されていてもよい。
【００２３】
前記データ処理装置は表示装置に対して前記判定結果を表示してユーザへの通知を行うことが可能であり、少なくとも、前記判定結果が書き込み不可能であることを示しているとき、前記表示装置を介して前記判定結果を表示してもよい。
【００２４】
前記判定結果は前記電力の供給が停止されるまでに取得され、前記データ格納部に格納されていてもよい。
【００２５】
本発明によるデータ処理装置は、電源のオンまたはオフを制御する電源制御部と、映像および／または音声のデータを生成する信号処理回路と、生成された前記データを前記記録媒体に書き込むドライブ部とを備えている。電源オフの指示を受けたときにおいて、前記電源制御部は、前記信号処理回路、前記ドライブ部および自身への電力の供給を継続し、前記信号処理回路は、前記指示に応答して前記ドライブ部をスリープ状態に移行させる。
【発明の効果】
【００２６】
本発明によれば、装置の電源オフ時においても、信号処理回路の少なくとも一部の構成要素および電源制御部３０には電源が供給され続ける。これらのハードウェア要素は通電されているため、装置の電源がオンされても初期化動作は不要である。これに伴って、オペレーティングシステム、ファイルシステム、アプリケーションソフトウェアなどのソフトウェア要素も動作可能な状態にあるため初期化処理は不要である。よって、その後すぐに信号処理回路は処理を開始し、得られたデータをバッファメモリに蓄積し始めることができる。ドライブ部の起動後にバッファメモリのデータを書き込むことにより、実質的には信号処理回路の処理開始から録画が開始されるため、ユーザが録画したいと考えたその場面の直後から録画を開始できる。起動時間が大幅に短縮されるので、極めて利便性の高い装置が得られる。
【発明を実施するための最良の形態】
【００２７】
以下、添付の図面を参照して、本発明によるデータ処理装置の実施形態を説明する。以下の実施形態においては、データ処理装置は放送波を受信して番組を録画する機器（レコーダ）として説明する。
【００２８】
（実施形態１）
図１は、本実施形態によるレコーダ１の機能ブロックの構成を示す。レコーダ１は、信号処理回路１０と、データ格納部２０と、電源制御部３０と、状態表示部４０と、ドライブ部５０と、チューナ６０とを有している。
【００２９】
レコーダ１の基本的な機能および動作は以下のとおりである。すなわちレコーダ１は、アナログ放送波を受信して所定の圧縮符号化処理を行うことによって番組のＭＰＥＧ−２プログラムストリーム（以下「プログラムストリーム」と記述する）を生成する。またレコーダ１は、デジタル放送波のＭＰＥＧ−２トランスポートストリームから特定の番組のＴＳパケットを抽出し、そのパケット内のデータによって構成される圧縮符号化された映像データおよび（圧縮）符号化された音声データに基づいてプログラムストリームを生成する。その後レコーダ１は、ドライブ部５０を利用して、生成したプログラムストリームをＤＶＤ５１（例えばＤＶＤ−ＲＡＭ）に書き込む。
【００３０】
なお、本実施形態においては記録媒体をＤＶＤであるとして説明するが、これは例である。異なる種類の光学的記録媒体（例えばＢｌｕ−ｒａｙディスク）であってもよいし、テープやハードディスクなどの磁気記録媒体であってもよい。ただし、採用する記録媒体の種類に応じたデータ形式でデータを書き込まなければならない。なおＤＶＤ５１自体は可換媒体であるためレコーダ１の構成要素ではない。しかし記録媒体が不可換媒体（例えば一般的なハードディスク）であるときには、レコーダ１の構成要素となる。
【００３１】
以下、まずレコーダ１の各構成要素の機能を説明し、その後本発明に関連するレコーダ１の動作を説明する。
【００３２】
信号処理回路１０は、デジタル信号を処理する回路である。具体的には、信号処理回路１０はデジタル信号の符号化、復号化、フォーマット変換、ＤＶＤ５１に書き込むプログラムストリームの生成等を行う。信号処理回路１０は、システム制御部１１と、デジタル入出力インターフェース１２と、記録処理部１３と、記録制御部１４と、バッファメモリ１５と、再生処理部１６とを有する。
【００３３】
システム制御部１１は、例えば制御マイコンや、専用のＣＰＵチップであり、信号処理回路１０のみならずレコーダ１全体を制御する。すなわちシステム制御部１１が指示を出すことにより、以下に説明する各構成要素はその機能および動作を実現する。デジタル入出力インターフェース１２（以下「インターフェース１２」と記述する）は、チューナ６０から入力されたデジタル信号のフォーマット変換や、高画質化処理などを行う。例えばデジタル信号が高精細度（ＨＤ）の映像に関する番組信号であるときは、インターフェース１２は間引き処理等を行って解像度を下げるフォーマット変換処理を行う。なお、インターフェース１２はデジタル信号を受け取るとしているが、アナログ信号を受け取ってＡ／Ｄ変換処理を行い、デジタル信号を出力してもよい。このときは、アナログ信号処理部６１をインターフェース１２内に設ければよい。
【００３４】
記録処理部１３は、画像圧縮処理と音声圧縮処理、および圧縮後の画像、音声の多重化を行って、記録制御部１４に送る。なおチューナ６０においてデジタル放送波が受信されているときであって、受信している信号が標準解像度（ＳＤ）の映像に関する番組信号であるときは、記録処理部１３は特に圧縮処理を行わなくてもよい。記録処理部１３は、入力されたデジタル信号（エレメンタリストリーム）に基づいて２０４８バイトのビデオパック、オーディオパック等を生成して多重化し、プログラムストリームを生成すればよい。なお、デジタル信号が記録処理部１３を通過しない経路（図示せず）で記録制御部１４に送られてもよい。
【００３５】
記録制御部１４は、システム制御部１１の指示に基づいて、ドライブ部５０のデータの読み出しおよび書き込みの動作を制御する。記録制御部１４は、記録処理部１３から入力されるデータ（プログラムストリーム）をドライブ部５０に送り、ＤＶＤ５１への書き込みを指示する。またデータの読み出し時には、ドライブ部５０に対して読み出すべきデータを特定し、読み出されたデータを再生処理部１６に転送する。これらの処理を行う際には、記録制御部１４はバッファメモリ１５に一時的にプログラムストリームを送って蓄積させている。バッファメモリ１５に一定データ量の番組データ（プログラムストリーム）を蓄積してから書き込む方が、安定してＤＶＤ５１に書き込むことができるためである。
【００３６】
バッファメモリ１５は、プログラムストリームを一時的に格納するメモリである。本実施形態においては、バッファメモリ１５は、ドライブ部５０が起動するまでの間、プログラムストリームを一時的に格納する。
【００３７】
再生処理部１６は、ＤＶＤ５１に書き込まれたプログラムストリームから、多重化された映像および音声の符号化データを分離する分離処理を行う。また再生処理部１６は、映像符号化データをデジタル映像データに復号化する映像復号化処理、各種規格の音声符号化データをデジタル音声データに復号化する音声復号化処理をも行う。再生処理部１６はさらに、デジタルデータをアナログデータに変換し、表示装置に出力する。また再生処理部１６は、再生対象の映像に所定のメニューを重畳する処理も行うことができる。映像および音声は、例えばＴＶのような映像を映し出す表示装置や、スピーカ等の機器に出力される。
【００３８】
データ格納部２０は、揮発性のメモリ（ＲＡＭ）２０ａおよび不揮発性のメモリ（ＲＯＭ）２０ｂを含むブロックである。ＲＯＭ２０ｂは、例えばＥＥＰＲＯＭ等のデータを書き込むことが可能なメモリであるとする。ＲＡＭ２０ａは、レコーダ１のドライブ部５０に装填された記録媒体の状態、具体的には書き込みに対応した種別のディスクか、そのディスクに空き領域があるか等や、ドライブ部５０を利用したデータの書き込みに最適なレーザーパワー値等の制御パラメータを格納する。保持したデータは、適宜ＲＯＭ２０ｂに書き込んで保持してもよい。またＲＡＭ２０ａにはＲＯＭ２０ｂに格納されているレコーダ１の起動プログラムがロードされ、システム制御部１１がそのプログラムを実行する際に利用される。なお、システム制御部１１はＲＯＭ２０ｂから直接プログラムを実行することもできる。このときはＲＡＭ２０ａにプログラムをロードして展開する必要はない。
【００３９】
電源制御部３０は、レコーダ１内の各構成要素の電源を個別に制御するとともに、レコーダ１全体の電源を一括して制御する。電源制御部３０がユーザからの電源オン／オフの指示に応答して電源を制御する。この指示は、例えばユーザがレコーダ１本体またはリモコンの電源ボタン（図示せず）を押下することによってレコーダ１に入力される。このとき電源制御部３０は、その指示をシステム制御部１１に伝える。電源制御部３０はまたタイマーマイコン（図示せず）を備えており、システムの時間情報を管理している。
【００４０】
例えば録画予約が設定されているときには、電源制御部３０は設定された時刻にレコーダ１の各構成要素の電源を入れる。またユーザからの電源オン／オフの指示に基づいて、電源制御部３０は信号処理回路１０以外の電源を切断し、またはレコーダ１全体の電源を切断する。信号処理回路１０のみ通電する際には、さらに信号処理回路１０内の特定の要素（例えばシステム制御部１１）のみ通電するように制御することもできる。
【００４１】
なお、特に言及する場合をのぞき、本明細書においては、電源のオン（投入）は電力を供給することを意味し、オフ（切断）とは電力の供給を停止することを意味する。電源のオン／オフという表現は、レコーダ１全体としてのオン／オフのみならず、レコーダ１の個々の構成要素に対しても用いられる。
【００４２】
状態表示部４０は、液晶もしくはＦＬ管（蛍光表示管）などにより構成されており、ユーザがレコーダ１の電源が入っているかどうかを示す情報を表示する。例えば、電源オフ時は現在時刻等を表示する。また、電源オン時にはその時点での録画可能時間や、再生中、早送り、早戻しなどを表す記号を表示する。
【００４３】
ドライブ部５０は、ＤＶＤ５１に対してレーザー光を放射する光ヘッド（図示せず）を有している。ドライブ部５０は、例えば録画対象番組の番組データを受け取り、この光ヘッドを用いてＤＶＤ５１に書き込む。また、書き込まれた番組データを読み出して出力する。番組データの書き込みに際して、ドライブ部５０は光ヘッドから放射するレーザー光の強度を書き込みに最適になるように調整し、その強度で書き込みを行う。最適な条件で書き込みができるように調整する動作は、学習動作と呼ばれる。またドライブ部５０は、ＤＶＤ５１がわずかに反り返っている場合（チルトしている場合）において、光ヘッド内の対物レンズの位置をＤＶＤ５１の反りに応じて変化させ、レーザー光の焦点位置がＤＶＤ５１の情報記録面上に位置するようにフォーカス制御を行う。さらにドライブ部５０は、光ヘッドの位置を調整して、レーザー光の焦点位置がＤＶＤ５１に設けられたトラック上に位置するようにトラッキング制御も行う。なお、上述の説明においては「番組データ」を挙げたが、番組以外の他のデータであってもよい。例えばライン入力等のチューナと異なる経路を介して入力されたデータであってもよい。
【００４４】
チューナ６０は、放送局からのアナログ放送波およびデジタル放送波を受信して復調する。アナログ放送波に関しては放送局ごとに周波数が異なるため、チューナ６０は周波数を利用して適切なチャンネルを選択する。選択されたチャンネルの信号は、Ａ／Ｄ変換を行うアナログ信号処理部６１においてデジタル信号に変換されて出力される。またデジタル放送波に関しては、チューナ６０のデジタル信号処理部６２は、受信したトランスポートストリームのうちから信号処理回路１０によって指定されたチャンネル番号に応じて適切な番組のＴＳパケットを抽出し、さらにＴＳパケットからエレメンタリストリームを取得してデジタル信号として出力する。デジタル信号処理部６２は、いわゆるＴＳデコーダとして機能する。
【００４５】
次に、レコーダ１の動作を説明する。本実施形態によるレコーダ１の主要な特徴のひとつは、レコーダ１の電源オフ時においても、レコーダ１は信号処理回路１０の少なくとも一部の構成要素および電源制御部３０に電力を供給し続けることにある。これらのハードウェア要素は通電されているため、レコーダ１の電源がオンされても初期化動作は不要である。これに伴って、オペレーティングシステム、ファイルシステム、アプリケーションソフトウェアなどのソフトウェア要素もすでに読み込まれ、動作可能な状態にあるため初期化処理は不要である。よって、チューナ６０およびその内部のアナログ信号処理部６１およびデジタル信号処理部６２の起動が終了すれば、その後すぐにレコーダ１の信号処理回路１０は処理を開始し、得られたデータをバッファメモリ１５に蓄積し始めることができる。
【００４６】
以下、レコーダ１の動作を詳細に説明する。はじめにレコーダ１の電源がオフされたときの動作を説明し、その後、電源がオンされて電源オフ状態から復帰するときの動作（起動動作）を説明する。
【００４７】
図２は、レコーダ１の電源オフ時の処理手順を示す。前提として、レコーダ１には電源が投入されており、レコーダ１はすでに番組の録画や録画された番組の再生が可能な状態になっているとする。
【００４８】
まずステップＳ２１において、レコーダ１の電源制御部３０はユーザから電源オフの指示を受け取る。電源制御部３０がその指示をシステム制御部１１に通知すると、システム制御部１１は記録制御部１４に対し、ドライブ部５０に装填されている記録媒体の種別を特定するように指示する。記録制御部１４はドライブ部５０を動作させ、記録媒体の物理的特性（形状等）、光学的特性（反射光の光量、反射率等）、データ構造を取得する。その結果ステップＳ２２において、記録制御部１４は記録媒体の種類を特定することができる。本実施形態においては、装填された記録媒体は書き込み可能なＤＶＤ５１（ＤＶＤ−ＲＡＭ）である。
【００４９】
なお、光ディスクの種類は多様であるが、例えばＤＶＤ５１とＣＤ、Ｂｌｕ−ｒａｙディスク等とは光学的特性が異なっているため、その特性に基づく判別が可能である。また、書き込み可能なＤＶＤであっても、例えばＤＶＤ−ＲＷとＤＶＤ−ＲＡＭとは、セクタ構造の相違等に基づいて判別することが可能である。
【００５０】
次にステップＳ２３において、記録媒体への書き込みの可否を判断する。システム制御部１１は、装填されたＤＶＤ５１は書き込みが可能であると判断する。この処理は、例えば装填された記録媒体が１回のみ書き込み可能なＤＶＤ−Ｒが装填されていると判断されたときに必要である。すでにファイナライズ処理が終了している場合には、そのＤＶＤ−Ｒにはデータを書き込むことができないからである。
【００５１】
次のステップＳ２４において、記録制御部１４は書き込み可能な残り容量を特定する。そしてステップＳ２５において、記録制御部１４はデータの書き込みに必要な各種パラメータ（最適レーザーパワー値、チルト量等）を測定する。これらはレコーダ１が書き込み可能な状態および読み出し可能な状態である時点ですでに学習され、保持されている。
【００５２】
ステップＳ２６において、システム制御部１１は、特定した記録媒体の種類、書き込みの可否、残り容量、各種パラメータ等の情報を、ＲＡＭ２０ａに書き込む。ステップＳ２６までの処理が終了すると、システム制御部１１は電源制御部３０に電源オフが可能であることを通知する。すると、ステップＳ２７において電源制御部３０はドライブ部５０、チューナ６０、その他、図示されない他の構成要素の電源を切断する。ただし、電源制御部３０は、信号処理回路１０およびＲＡＭ２０ａへの電源は切断せず、通電させておく。いうまでもなく電源制御部３０自身への通電も確保される。その後、ステップＳ２８において、状態表示部４０は電源オフ状態を示す情報を状態表示部に表示する。
【００５３】
なお、電源オン時のレコーダ１の消費電力を約２２Ｗ程度とすると、上述の電源オフ状態では約７Ｗになる。これは消費電力が大きいドライブ部５０やチューナ６０の電源を切断したこと、および、信号処理回路１０が通電されていても録画処理をしていないため消費電力を抑えられること等に起因している。通電している信号処理回路１０やＲＡＭ２０ａへの電源を切断したとき（すなわち従来のレコーダにおける電源オフ後の状態）においては、消費電力は約２．５Ｗになる。これはリモコンなどによる電源オンの指示を検出するため、および予約録画の待機等のために電源制御部への通電が必要だからである。
【００５４】
信号処理回路１０への通電はさらに細かく設定することもできる。例えば信号処理回路１０のうちの再生処理部１６については電源を切断しておいてもよい。これは再生処理部１６が通電しているか否かは録画開始が遅延するか否かとは無関係だからである。または、電源は切断せずに動作速度を規定するクロックを停止してもよい。電源の切断またはクロックの停止は、いずれも消費電力の低減に効果的である。
【００５５】
一方、再生処理部１６に通電しておくことにより、後述のレコーダ１の起動動作直後にＲＡＭ２０ａに格納されたＧＵＩデータを読み出し、メニュー表示を迅速に行うことができるという利点がある。また再生処理部１６が通電されていると、録画開始と同時に視聴もしたい場合には視聴もすぐに開始できるという利点もある。
【００５６】
なお上述のステップＳ２２からＳ２６までの処理は、ドライブ部５０、チューナ６０等の電源が切断されるまでに行っておけばよく、処理の順序もこれに限られない。例えば記録媒体の種類、書き込みの可否、残り容量等の情報は、実質的には電源オフ前に取得され、ＲＡＭ２０ａに格納されているため、電源オフ指示を受け取った際にはステップＳ２２からＳ２４までの処理は省略することができる。それらの情報に関するステップＳ２６の処理もまた省略することができる。また、書き込みに必要な各種パラメータは、電源オフ前からドライブ部５０において測定され保持されているため、電源オフ指示を受け取った際にはステップＳ２５の処理は省略することができる。
【００５７】
次に、上述の電源オフ処理によってオフ状態になったレコーダ１に、電源がオンされたときの動作を説明する。
【００５８】
図３は、電源オン後のレコーダ１において初期化が行われる手順を示す。電源オンによって発生する主な処理は、新たに通電された個所の初期化である。図２に示す電源オフ処理によってドライブ部５０およびチューナ６０の電源は切断されているため、まずドライブ部５０およびチューナ６０に電源が投入される。そして、各々の初期化処理が開始される。
【００５９】
具体的には、まずチューナ６０全体の電源がオンされて初期化が開始される。その後、チューナ６０内のアナログ信号処理部６１およびデジタル信号処理部６２の初期化が行われる。その後、記録制御部１４からドライブ部５０へ指示（接続要求及び起動開始指示）が出され、ドライブ部５０と記録制御部１４との間で接続確認が行われる。ドライブ部５０はその後、安定したデータの書き込みおよび読み出しができるように、ある程度時間をかけて起動される。
【００６０】
留意すべきは、チューナ６０全体と、その内部の信号処理部６１および６２の初期化が完了するとすぐ、信号処理回路１０による処理が開始されてバッファメモリ１５上に番組の圧縮符号化されたデータが蓄積されることである。この処理は、ドライブ部５０の起動と並行して行われる。電源がオフされた後にも信号処理回路１０が通電されていたため、信号処理回路１０は常に動作可能な状態である。デジタル信号さえ受信すれば、すぐに処理を開始してプログラムストリームを生成することができる。よって、従来の初期化手順（図６）において必要とされていたハードウェア初期化（システム制御部１１の初期化、プログラム展開、ＯＳ初期化、再生処理部１１の初期化、インターフェース１２の初期化、記録処理部１３および記録制御部１４の初期化）が不要になるとともに、ファイルシステム初期化、アプリケーションソフトウェア初期化等のソフトウェア初期化は不要になる。
【００６１】
ドライブ部５０の起動が完了しており、かつ、バッファメモリ１５内のデータが所定以上のデータ量になるとそのデータはドライブ部５０に送られ、ＤＶＤ５１に書き込まれる。バッファメモリ１５への蓄積開始が速いため、録画開始の遅れを大幅に短縮できる。具体例を挙げると、本実施形態によるレコーダ１は電源オンからバッファメモリ１５への蓄積開始までの時間は約１秒である。電源オン後１秒すると録画が開始されているため、ユーザが録画したいと考えたその場面が欠落することはほとんどない。従来のレコーダ１００は録画開始までに３０秒以上を要していたことと比較すると、飛躍的に高速化されているといえる。図６に示す従来のレコーダ１による録画開始までの手順と比較すると、図３に示す本実施形態による録画開始までの手順は初期化処理等に必要な手順が大幅に少ないことが理解される。
【００６２】
本実施形態によるレコーダ１では、電源オン直後からプログラムストリームがバッファメモリ１５に蓄積され始めるため、バッファあふれが発生しないように留意する必要がある。仮にバッファあふれが発生したとき、または発生するおそれが高くなったときは、その後のデータの蓄積方法を変更することが好ましい。またバッファあふれが発生した時点で、可能な限り映像等の途切れが認識されないようにすることが好ましい。そこで以下、バッファメモリ１５の管理方法を説明する。
【００６３】
図４（ａ）〜（ｄ）は、種々のメモリ管理方法によるバッファメモリ１５内のデータ量の遷移を示す。横軸は時間を示し、縦軸はバッファ内に格納されたデータの最終アドレスを示す。横軸に関してはバッファメモリ１５への蓄積開始時刻を０とする。また縦軸に関してはバッファメモリ１５には小さいアドレスから順にデータが格納されていくとし、最終アドレスをＢEと表す。なお、最終アドレスの値は便宜的にデータ量に対応しているとする。例えば最終アドレスＢEまでデータを蓄積したときのデータ量はＢEであるとする。
【００６４】
まず図４（ａ）を参照する。時刻ｔa1においてドライブ部５０の起動が完了したとする。このときまでに蓄積されたデータの最終アドレスはＢ0である。このときのデータ量はＢ0である。記録制御部１４は、バッファメモリ１５に蓄積されたデータを読み出して、ドライブ部５０に送る。するとドライブ部５０はＤＶＤ５１にそのデータを書き込む。その後は、例えばデータがアドレスＢ0まで蓄積されると、レコーダ１はその時点までに蓄積されているデータをＤＶＤ５１に書き込む。以下では、データ量Ｂ0を超えたときにデータがＤＶＤ５１に書き込まれるとする。ただし、これは例であって適宜変更してもよい。以下、データ量Ｂ0を基準データ量という。
【００６５】
次に図４（ｂ）を参照する。レコーダ１のドライブ部５０は、経年変化や電源不良等によって起動が遅くなる場合がある。例えば時刻ｔa1よりも遅い時刻ｔa2においてドライブ部５０の起動が完了したとする。また、時刻ｔa2にいたるまでの時刻ｔ1（＝（ａ）の時刻ｔa1）においてデータ量はＢ0になり、時刻ｔ2においてデータ量はＢEになったとする。データ量ＢEはバッファフル状態である。
【００６６】
図４（ｂ）に示すように時刻ｔ2＜時刻ｔa2のときは、蓄積されたデータをＤＶＤ５１に書き込むことはできない。ドライブ部５０の起動が完了していないからである。よってドライブ部５０の起動が完了するまで待ち、完了後にバッファメモリ１５内のデータをＤＶＤ５１に書き込む。その後、記録制御部１４はバッファメモリ１５を一旦クリアしてバッファ初期化処理を行う。バッファ初期化処理が時刻ｔ3に完了すると仮定すると、番組の録画が行われている時間帯は、時刻０からｔ2まで、および時刻ｔ3以降である。すなわち、時刻ｔ2から時刻ｔ3まではデータを蓄積することはできず、その期間は番組の録画が中断されてしまう。例えばバッファメモリ１５の最大データ量ＢEを３１メガバイトとし、そのデータ量の再生時間が２３秒であるとする。この条件のもとでは、再生開始から２３秒後に突然映像が途切れ、１０秒分だけ途切れた番組を視聴することがある。これではユーザが視聴した際に相当の違和感を覚える。
【００６７】
そこで図４（ｃ）に示す管理方法を採用する。図４（ｃ）では、データの蓄積開始を時刻ｔsから開始している。時刻０からｔsまでの時間幅は、図４（ｂ）のドライブ部５０の起動完了時刻ｔa2からデータ量がＢ0に達した時刻ｔ1までの時間幅と等しい。すなわち、蓄積開始時刻を意図的に遅らせている。このように定義された時刻ｔsからデータの蓄積を開始すると、蓄積されたデータのデータ量はドライブ部５０の起動が完了する時刻ｔa2において基準データ量に達する。よってバッファあふれを発生させることなくデータをＤＶＤ５１に書き込むことができる。
【００６８】
図４（ｃ）に示す管理方法をバッファあふれが発生した後で採用すると、その後のバッファあふれを防止できる。または、バッファあふれが発生する前に採用してもよい。例えば、ドライブ部５０の経年変化等が原因であれば、ドライブ部５０の起動完了時刻ｔa2が突然遅くなることはないと考えられる。そこで起動完了時刻を計測し、一定以上の時間を要するようになったときに上述の管理方法を採用してもよい。例えば２秒以上のずれは許容しないとすると、起動完了まで１５秒であったが１７秒を要するようになったときには、管理方法を変更すればよい。または、記録制御部１４がドライブ部５０に対してコマンドを発し、ドライブ部５０から応答を記録制御部１４が受信した時間を計測する。そして、その時間に基づいて図４（ｃ）に示す管理方法を採用するか否かをシステム制御部１１が判断してもよい。
【００６９】
次に、図４（ｄ）を参照する。図４（ｄ）では、時刻ｔ2においてバッファフルになっている。しかし図４（ｂ）と異なり、その後はバッファを初期化せずにアドレス０からデータを上書きして蓄積を継続する。上書きは起動完了時刻ｔa2まで継続され、アドレスＢuまでデータが上書きされる。したがって、時刻０から、最初にアドレスＢuまでデータが蓄積された時刻ｔ4までのデータに基づく視聴はできないが、バッファを初期化することなく時刻ｔ4から時刻ｔa2までデータを途切れることなくＤＶＤ５１に残すことはできる。番組が途中で途切れることがないため、図４（ｂ）に示すような番組の中断と比較すると、ユーザにとっての違和感は少ないといえる。なお、バッファメモリ１５以外にも利用可能なメモリが存在する場合には、そのメモリに時刻ｔ2からｔa2までのデータを蓄積してもよい。この方法によれば、番組を途切れなく録画できる。
【００７０】
なお図４（ａ）に示す原則的な管理方法と異なる管理方法を採用するときにおいては、システム制御部１１は、その後原則的な管理方法を改めて採用するか否かを適宜判断してもよい。偶然にバッファあふれが発生したときには一定期間は異なる管理方法（例えば図４（ｃ）の管理方法）を採用する。そしてその期間経過後に、システム制御部１１がバッファあふれの再発のおそれが低いと判断した場合には、図４（ａ）に示す管理方法を改めて採用してもよい。
【００７１】
上述のバッファメモリ１５に蓄積されたデータをＤＶＤ５１に書き込むためには、ドライブ部５０の起動が完了する必要がある。したがって、ドライブ部５０の起動完了を高速化することも重要である。そこで以下、本実施形態によるレコーダ１の構成に関連して有効なドライブ部５０の起動高速化の方法を説明する。なお図４（ｃ）に示す管理方法を採用している場合には、録画開始時刻は時刻ｔsになる。時刻ｔsはドライブ部５０の起動完了時刻ｔa2に基づいて決定されているため、ドライブ部５０が高速化されると録画開始までの時間も短くなる。よってユーザにとってはレコーダ１の起動が高速化されたと同じ効果をもたらす。またドライブ部５０が高速化されることにより、バッファメモリ１５の使用量を小さくでき、その結果、他の用途に利用すること、またはより安価な小容量のバッファメモリを採用できる。
【００７２】
ドライブ部５０の起動を高速化するために、レコーダ１は図２のステップＳ２６においてＲＡＭ２０ａに書き込まれた情報（記録媒体の種類、書き込みの可否、残り容量や、最適レーザーパワー値、チルト量等の各種パラメータ）を利用する。すなわちレコーダ１のシステム制御部１１は、記録制御部１４を介してＲＡＭ２０ａに格納されている情報をドライブ部５０に転送する。ドライブ部５０はその情報をそのまま利用して起動を完了する。この設定手順によれば、電源オン後に上述の情報を取得する時間が不要になる。その結果、ドライブ部５０の起動完了までの時間は約１０秒程度である。
【００７３】
システム制御部１１は、ドライブ部５０の起動が完了したか否かを、電源オン後から２００ｍｓごとにチェックしている。この結果、レコーダ１はドライブ部５０の起動完了後２００ｍｓ以内にＤＶＤ５１へのデータの書き込み処理を開始できる。
【００７４】
なお、電源オフ時にＲＡＭ２０ａに格納された情報を電源オン後にそのまま採用することについては、問題は生じない。現在の多くのレコーダは電源がオンされなければＤＶＤを取り出すことはできないため、電源オフ時に装填されているＤＶＤは通常、電源オン時にも装填されていること、よって、そのＤＶＤに関する記録可能な残り容量等の情報もそのまま適用できるからである。
【００７５】
一方、従来のレコーダでは、電源がオンされてデータが２０秒程度バッファリングされた後に、記録媒体の種類、書き込みの可否、残り容量を判定していた。最適レーザーパワー値、チルト量等の各種パラメータの取得も同様である。これらの判定および取得に要する時間（設定時間）は当然にドライブ部の起動完了までの時刻に影響する。例えば設定時間も含めたドライブ部の起動完了までの時刻は、ＤＶＤドライブの場合には約２０秒程度必要であった。本実施形態１によるドライブ部５０の起動時間は、約１／２に短縮されていることが理解される。
【００７６】
電源オフ時に信号処理回路１０等への通電を継続しＲＡＭ２０ａに情報を格納し続けておくためには、上述のとおり７Ｗ程度の電力が必要になる。これは従来のレコーダの２．５Ｗと比較すると若干多いため、その電力増加を好まないユーザが存在することもある。そこでレコーダ１には、７Ｗの電力が必要だが１秒で起動が完了する高速起動モードと、起動には２０秒以上を要するが２．５Ｗの電力で抑えられる通常起動モードを選択できるようにしてもよい。システム制御部１１は、選択されたモードを特定するフラグを、例えばＥＥＰＲＯＭ２０ｂに書き込んでおけばよい。一旦通常起動モードが選択されると電源オフ後はＲＡＭ２０ａへの通電はなくなるからである。ＥＥＰＲＯＭ２０ｂにフラグを書き込むことにより、レコーダ１はその後も引き続き一度選択されたモードで動作することができる。
【００７７】
また、レコーダ１の電源制御部３０においてレコーダ１の使用状況をモニタし、未使用時間が長い場合（例えば１週間電源オンがされない場合）には高速起動モードから通常起動モードに自動的に変更してもよい。これにより電力の消費を抑えることができる。
【００７８】
なお、上述の電源オフ時の処理では、ＲＡＭ２０ａへの通電が維持されて記録媒体の種類等の情報を保持するとした。しかし、その情報を電源制御部３０内のバッファ（図示せず）やＥＥＰＲＯＭとして実装されたＲＯＭ２０ｂに書き込むこととすれば、ＲＡＭ２０ａを通電する必要はない。これにより消費電力をさらに低減できる。
【００７９】
図１に示すレコーダ１のチューナ６０は、アンテナ等からの放送波のみならず、ケーブルテレビ等の回線を経由して入力される番組の信号を受信することもできる。また、セットトップボックスなどもチューナ６０の範疇である。また、レコーダ１はネットワークを介して配信された番組の録画機能を有していてもよい。このときは、インターフェース１２と記録処理部１３の間にチューナ６０のデジタル信号処理部６２と同じ構成要素を設ければよい。
【００８０】
図６に示す従来の録画開始までの手順に関して、本発明による思想を利用して１つ以上の処理を省略できれば、その処理時間に相当する時間だけ録画開始までの時間が短縮される。例えば、本実施形態においてはレコーダ１の信号処理回路１０の全体の電源をオン／オフするとして説明したが、信号処理回路１０全体ではなくシステム制御部１１のみ通電させておいても、本発明による効果を得ることができる。すなわち、システム制御部１１の初期化処理、プログラムの展開処理、ＯＳの初期化処理、アプリケーションソフトウェアの初期化処理が省略されるため、録画開始までのレコーダ１の起動時間は大幅に短縮できる。システム制御部１１以外の構成要素についても、同様に考えることができる。
【００８１】
なお、電源オフ中であっても、ＲＡＭ２０ａには記録媒体への書き込みの可否や残り容量を示す情報が保持されているため、レコーダ１は起動直後にその情報をユーザに通知してもよい。例えば、状態表示部４０や表示装置を介して記録媒体に書き込みができないことを表示すると、ユーザは電源オン直後に書き込み可能な記録媒体を装填しなければならないことを知ることができる。よってユーザは迅速な対応が可能となる。なおユーザが安心して録画を実行できるように、保持されている情報に基づいて記録媒体への記録が可能であることを確認的に通知してもよいし、記録可能な残り時間を通知してもよい。
【００８２】
上述の実施形態の説明においては、電源のオン（投入）は電力を供給することを意味し、オフ（切断）とは電力の供給を停止することを意味するとして説明した。しかし、ドライブ部５０がスリープモードを備えているときには、ドライブ部５０の電源オンおよびオフの概念に、スリープ状態からの復帰およびスリープ状態への移行を含むように拡張することができる。
【００８３】
スリープモードとは、電力が供給されていても消費電力を抑えることを可能とする動作モードをいう。ドライブ部５０がスリープ状態にあるとき、ドライブ部５０を構成する要素の全部または一部に電力が供給されつつ、ドライブ部５０の電力消費の大きい一部のブロック（たとえばモーター等の駆動系）の制御は止められる。または、ドライブ部５０の制御用ＬＳＩ（図示せず）のクロックが停止される。
【００８４】
スリープ状態への移行は、たとえばソフトウェアを実行したシステム制御部１１（図１）がそのソフトウェアの処理に基づいて、スリープへ移行するためのコマンド（スリープコマンド）をドライブ部５０に送ることによって実現される。システム制御部１１がドライブ部５０をスリープ状態に移行させたとき、電源制御部３０は信号処理回路１０、ドライブ部５０および自身への電力の供給は継続する。
【００８５】
一方、スリープ状態からの復帰は、たとえば復帰するためのコマンドを転送し、またはドライブ部５０をリセットする処理が必要とされる。復帰のためにはある程度の時間を要する。
【００８６】
上述の実施形態において、ドライブ部５０の電源オンおよびオフをスリープ状態からの復帰およびスリープ状態への移行としても、電力の消費を低減できる。よって本発明の実施において有用である。
【産業上の利用可能性】
【００８７】
本発明のレコーダは、電源がオンされてから１秒程度で録画が開始されるので、ユーザが録画したいと考えたその場面の直後から録画を開始できる。録画開始まで２０〜３０秒を要していた従来のレコーダと比較して起動時間が大幅に短縮されるので、極めて利便性の高い機器が提供される。
【図面の簡単な説明】
【００８８】
【図１】本発明の実施形態によるレコーダ１の機能ブロックの構成を示す図である。
【図２】レコーダ１の電源オフ時の処理手順を示すフローチャートである。
【図３】電源オン後のレコーダ１において初期化が行われる手順を示す図である。
【図４】（ａ）〜（ｄ）は、種々のメモリ管理方法によるバッファメモリ１５内のデータ量の遷移を示す図である。
【図５】従来のレコーダ１００の機能ブロックの構成を示す図である。
【図６】レコーダ１００において初期化が行われる手順を示す図である。
【符号の説明】
【００８９】
１  レコーダ
１０  信号処理回路
１１  システム制御部
１２  デジタル入出力インターフェース
１３  記録処理部
１４  記録制御部
１５  バッファメモリ
１６  再生処理部
２０  データ格納部
２０ａ  ＲＡＭ
２０ｂ  ＲＯＭ
３０  電源制御部
４０  状態表示部
５０  ドライブ部
５１  ＤＶＤ
６０  チューナ
６１  アナログ信号処理部
６２  デジタル信号処理部
【図１】
2006209941.tif 000003
【図２】
2006209941.tif 000004
【図３】
2006209941.tif 000005
【図４】
2006209941.tif 000006
【図５】
2006209941.tif 000007
【図６】
2006209941.tif 000008